(57)【要約】【課題】鍵盤蓋の開閉機構にピニオンギアを用いないようにした鍵盤楽器を提供する。【解決手段】本発明の一実施形態である鍵盤楽器１は、鍵盤蓋１０と、前記鍵盤蓋１０の開閉をガイドするガイド溝２１を有する側壁部２０と、前記鍵盤蓋１０と連結する連結部２３Ｃを有し、前記鍵盤蓋１０の開閉の際に回転軸２２を中心に回転するアーム部材２３と、前記側壁部２０側の規制部２７Ａに規制される第１アーム部２４Ｂが一端に設けられ、前記アーム部材２３の前記回転を規制する第２アーム部２４Ｃが他端に設けられ、前記回転軸２２に軸支されている弾性部材２４と、を備え、前記第２アーム部２４Ｃは、前記アーム部材２３に設けられる係止孔２３Ｂに係止されている。【選択図】図２
2018205407.tif 000002
【特許請求の範囲】
【請求項１】
鍵盤蓋と、
前記鍵盤蓋の開閉をガイドするガイド溝を有する側壁部と、
前記鍵盤蓋と連結する連結部を有し、前記鍵盤蓋の開閉の際に回転軸を中心に回転するアーム部材と、
前記側壁部側の規制部に規制される第１アーム部が一端に設けられ、前記アーム部材の前記回転を規制する第２アーム部が他端に設けられ、前記回転軸に軸支されている弾性部材と、
を備え、
前記第２アーム部は、前記アーム部材に設けられる係止孔に係止されていることを特徴とする鍵盤楽器。
【請求項２】
請求項１に記載の鍵盤楽器において、
前記第２アーム部は、前記弾性部材の外側に屈曲する屈曲部を有し、
前記屈曲部は、前記係止孔に係止されていることを特徴とする鍵盤楽器。
【請求項３】
請求項１又は請求項２に記載の鍵盤楽器において、
前記回転軸及び前記側壁部に設けられた複数の係合突起と係合する係合部材を備え、
前記規制部は前記複数の係合突起の間に位置し、前記係合部材が前記第１アーム部の動きを規制することを特徴とする鍵盤楽器。
【請求項４】
請求項１から請求項３のいずれか１項に記載の鍵盤楽器において、
前記鍵盤蓋は、前蓋及び後蓋を有し、
前記前蓋の開閉をガイドする前ガイド軸と、
前記後蓋の開閉をガイドする後ガイド軸と、
を備え、
前記鍵盤蓋が開かれる際に、前記前ガイド軸が前記ガイド溝における先端溝部の後側及び、前記後ガイド軸がガイド凹部の後側に夫々移動した後に、前記弾性部材の弾性力及び前記鍵盤蓋の荷重により前記鍵盤蓋が楽器ケース内に自動で収納されることを特徴とする鍵盤楽器。
【請求項５】
請求項４に記載の鍵盤楽器において、
前記ガイド溝は、当該ガイド溝の後側に、上り傾斜部を含み、
前記鍵盤蓋が開かれる際に、前記後ガイド軸が前記上り傾斜部を登ることにより、前記鍵盤蓋が楽器ケース内に収納される際の勢いが減衰されることを特徴とする鍵盤楽器。
【請求項６】
請求項５に記載の鍵盤楽器において、
前記鍵盤蓋が開かれた際に、前記後ガイド軸は、前記上り傾斜部の頂点より後側に位置することを特徴とする鍵盤楽器。
【発明の詳細な説明】
【技術分野】
【０００１】
本発明は、鍵盤楽器に関する。
【背景技術】
【０００２】
特許文献１には、楽器ケース内に設けられた鍵盤部を鍵盤蓋が開閉自在に覆う蓋開閉装置において、鍵盤蓋の開閉動作に応じて支点を中心に回転するアーム部材と、このアーム部材に回転軸によって回転自在に取り付けられたピニオンギアと、アーム部材の回転に伴ってピニオンギアが噛み合いながら回転移動する円弧状のガイドギアと、アーム部材に形成され、鍵盤蓋の開閉動作の際にピニオンギアに負荷を付与するためのダンパー部材がアームに対して独立した形で取り付け可能なダンパー取り付け部と、を備えている蓋開閉装置を有する鍵盤楽器が開示されている。
【先行技術文献】
【特許文献】
【０００３】
【特許文献１】特開２０１３−２５７４６３号公報
【発明の概要】
【発明が解決しようとする課題】
【０００４】
しかしながら、特許文献１の鍵盤楽器では、ピニオンギア等を用いて部品点数が多いものとなっており、また、メンテナンスにおいて、それらギアが用いられている部分にグリスを塗布する必要があるため、メンテナンスにも手間がかかるものとなっている。
【０００５】
本発明は、このような事情に鑑みなされたものであり、鍵盤蓋の開閉機構にピニオンギアを用いないようにした鍵盤楽器を提供することを目的とする。
【課題を解決するための手段】
【０００６】
上記目的を達成するために、本発明の一実施態様である鍵盤楽器は、鍵盤蓋と、前記鍵盤蓋の開閉をガイドするガイド溝を有する側壁部と、前記鍵盤蓋と連結する連結部を有し、前記鍵盤蓋の開閉の際に回転軸を中心に回転するアーム部材と、前記側壁部側の規制部に規制される第１アーム部が一端に設けられ、前記アーム部材の前記回転を規制する第２アーム部が他端に設けられ、前記回転軸に軸支されている弾性部材と、を備え、前記第２アーム部は、前記アーム部材に設けられる係止孔に係止されていることを特徴とする。
【発明の効果】
【０００７】
本発明によれば、鍵盤蓋の開閉機構にピニオンギアを用いないようにした鍵盤楽器を提供することができる。
【図面の簡単な説明】
【０００８】
【図１】本発明の実施形態に係る鍵盤楽器を示す一部斜視図であり、（ａ）は鍵盤蓋を閉じた状態を示す図であり、（ｂ）は鍵盤蓋を開いた状態を示す図である。
【図２】本発明の実施形態に係る側壁部の内側の面を正面に見るようにした鍵盤蓋の開閉状態を説明するための図である。
【図３】本発明の実施形態に係る側壁部の内側の面を正面に見るようにした鍵盤蓋の開閉状態を説明するための図である。
【図４】本発明の実施形態に係る側壁部の内側の面を正面に見るようにした鍵盤蓋の開閉状態を説明するための図である。
【図５】本発明の実施形態に係る側壁部の内側の面を正面に見るようにした鍵盤蓋の開閉状態を説明するための図である。
【図６】本発明の実施形態に係る側壁部の内側の面を正面に見るようにした鍵盤蓋の開閉状態を説明するための図である。
【図７】本発明の実施形態に係る側壁部の内側の面の状態が見易いように、図２から鍵盤蓋等の一部の部材の図示を省略した図である。
【図８】本発明の実施形態に係るアーム部材とそれに取り付けられる弾性部材を説明するための図であり、（ａ）はアーム部材に弾性部材を取り付ける前を示す図であり、（ｂ）はアーム部材に弾性部材を取り付けたところを示す図である。
【発明を実施するための形態】
【０００９】
以下、添付図面を参照して、本発明に係る実施形態を説明する。
図１は本発明の実施形態に係る鍵盤楽器１を示す一部斜視図であり、図１（ａ）は鍵盤蓋１０を閉じた状態を示す図であり、図１（ｂ）は鍵盤蓋１０を開いた状態を示す図である。
【００１０】
また、図２から図６は側壁部２０の内側の面を正面に見るようにした鍵盤蓋１０の開閉状態を説明するための図である。
なお、図２は鍵盤蓋１０が閉じた状態であり、図３から図６に進むにつれて、順次、鍵盤蓋１０が開いていく状態を示すようにしている。
【００１１】
さらに、図７は、側壁部２０の内側の面の状態が見易いように、図２から鍵盤蓋１０等の一部の部材の図示を省略した図である。
【００１２】
図１（ｂ）に示すように、鍵盤楽器１は、操作用のスイッチ類や鍵が配置された鍵盤部２を覆う鍵盤蓋１０を有しており、図１（ａ）に示すように、鍵盤蓋１０は、前蓋１１と後蓋１２とを備えている。
【００１３】
図２に示すように、前蓋１１には、前方側の下側に取り付けられた鍵盤蓋１０の開閉操作のときに、ユーザが指を入れるための指挿入金具１１Ａが設けられている。
【００１４】
そして、その指挿入金具１１Ａの下端側には、後述する側壁部２０に設けられたガイド溝２１に挿入できるように、側壁部２０側に突出し、前蓋１１の開閉動作をガイドする前ガイド軸１１Ｂが設けられている。
【００１５】
また、前蓋１１の後方側の部分と後蓋１２の前方側の部分とは、図示しない回動軸で回動可能に接続されている。
そして、その回動可能に接続された部分に近接して、後蓋１２には、後述する側壁部２０に設けられたガイド溝２１に挿入できるように、側壁部２０側に突出し、後蓋１２の開閉動作をガイドする後ガイド軸１２Ａを有するガイド部材１２Ｂが取り付けられている。
【００１６】
一方、図７に示すように、側壁部２０には、回転軸２２が設けられており、その回転軸２２には、アーム部材２３が回転軸２２を中心に回動可能に取り付けられる。なお、本実施形態では、回転軸２２は側壁部２０側に設けているが、回転軸２２はアーム部材２３側に設けてもよく、回転軸２２に対応する軸孔２３Ａは、側壁部２０側に設けてもよい。
【００１７】
図８はアーム部材２３とそれに取り付けられる弾性部材２４を説明するための図であり、図８（ａ）はアーム部材２３に弾性部材２４を取り付ける前を示す図であり、図８（ｂ）はアーム部材２３に弾性部材２４を取り付けたところを示す図である。
【００１８】
図８（ａ）に示すように、アーム部材２３は、回転軸２２（図７参照）に対応する軸孔２３Ａと、ほぼＬ字形状の係止孔２３Ｂと、を備えている。
【００１９】
また、アーム部材２３は、図２に示す後蓋１２の後方側の下側に取り付けられる回動軸支持部材１２Ｃに支持される回動軸１２Ｄによって鍵盤蓋１０（より具体的には後蓋１２）と連結される貫通孔として形成された連結部２３Ｃ（図８（ａ）参照）を備えている。
【００２０】
そして、図８（ａ）に示すように、弾性部材２４は、コイル部２４Ａと、コイル部２４Ａの一端から延出する第１アーム部２４Ｂと、コイル部２４Ａの他端から延出する第２アーム部２４Ｃと、を有しており、第２アーム部２４Ｃは、先端側がコイル部２４Ａの外側にＵ字形状となるように屈曲され、屈曲部２４ＣＡを有するものになっている。
なお、本実施形態では、第１アーム部２４Ｂの先端に保護テープ（黒塗り部分参照）を設けているが、保護テープはなくてもよい。また、本実施形態では、係止孔２３ＢはほぼＬ字形状に設けているが、Ｌ字形状でなくても、弾性部材２４の第２アーム部２４Ｃの屈曲部２４ＣＡが係止しやすい形状であればよい。
また、図８以外の図においては、この保護テープの記載を省略している。
【００２１】
この屈曲部２４ＣＡをアーム部材２３の係止孔２３Ｂにアーム部材２３の内側から引っ掛けるようにして、弾性部材２４は、アーム部材２３に取り付けられており、アーム部材２３は、この弾性部材２４によって後ほど説明する回転動作が規制されるようになっている。
【００２２】
そして、アーム部材２３内に弾性部材２４のコイル部２４Ａを収容させるように、弾性部材２４を配置すると、コイル部２４Ａの中央とアーム部材２３の軸孔２３Ａの位置が一致するようになっており、コイル部２４Ａは、アーム部材２３とともに、図７に示した側壁部２０に設けられた回転軸２２に軸支される。
【００２３】
一方、図７に示すように、側壁部２０には、回転軸２２の近くに複数（一対）の係合突起２５、２６が設けられており、回転軸２２及び係合突起２５には、ネジＮを螺合させるための、螺合孔２５Ａ及び螺合孔２２Ａが形成されている。
【００２４】
そして、図２に示すように、回転軸２２及び複数の係合突起２５、２６と係合するとともに、ネジＮによって固定され、カバーとしての役目を果たす係合部材２７が設けられるようになっている。
【００２５】
この係合部材２７は、複数の係合突起２５、２６の間となる位置に弾性部材２４の第１アーム部２４Ｂを受け入れ可能に形成されており、複数の係合突起２５、２６の間となる位置が第１アーム部２４Ｂの動きを規制する規制部２７Ａになっている。
【００２６】
次に、鍵盤蓋１０を開けるときの状態を説明しながら、更に詳細に説明する。
図７に示すように、ガイド溝２１は、鉛直方向下側に延在した先端溝部２１Ａと、先端溝部２１Ａから後方側に向かって延在する水平方向溝部２１Ｂと、を有し、水平方向溝部２１Ｂの前後方向の中間位置よりも若干前方側寄りの位置には、ガイド凹部２１ＢＡが設けられている。
【００２７】
そして、図２に示すように、鍵盤蓋１０が閉じた状態のときには、先端溝部２１Ａの下端の位置に前ガイド軸１１Ｂが位置するとともに、ガイド凹部２１ＢＡの下端の位置に後ガイド軸１２Ａが位置している。
【００２８】
この状態のときには、弾性部材２４は、鍵盤蓋１０を後方側に引っ張るように付勢しており、鍵盤蓋１０が開かれる際に、図３に示すように、前ガイド軸１１Ｂがガイド溝２１における先端溝部２１Ａの後側及び、後ガイド軸１２Ａがガイド凹部２１ＢＡの後側に夫々移動させられると、弾性部材２４の付勢力によって鍵盤蓋１０は、後方側に動き始める。
【００２９】
そして、図４に示す状態まで、鍵盤蓋１０が後方側に移動すると、弾性部材２４の付勢力が鍵盤蓋１０を前方側に付勢するようになるが、後蓋１２の自重が鍵盤蓋１０を後方側に移動させるように加わるようになるため、図５に示すように、鍵盤蓋１０自体は、更に後方側に移動を続ける。
【００３０】
なお、鍵盤蓋１０が後方側に移動するのに伴って、後蓋１２等による鍵盤蓋１０を後方側に移動させようとする自重の力は大きくなっていくが、そのように自重の力が大きくなるのに合わせて、弾性部材２４による鍵盤蓋１０を前方側に付勢する付勢力も強くなるため、鍵盤蓋１０の後方への移動は、ほぼ一定速度でスムーズに行われるようになっている。
【００３１】
そして、図５及び図６に示すように、ガイド溝２１は、ガイド溝２１の後側（水平方向溝部２１Ｂの後側）に、上り傾斜部２１Ｃを含んでおり、図６に示すように、鍵盤蓋１０が開かれる際に、後ガイド軸１２Ａが上り傾斜部２１Ｃを登ることにより、鍵盤蓋１０が楽器ケース内に収納される際の勢いが減衰されるようになっている。
【００３２】
さらに、図５に示すように、ガイド溝２１（水平方向溝部２１Ｂ）は、上り傾斜部２１Ｃの頂点よりも後方側に下り傾斜部２１Ｄを含んでおり、完全に鍵盤蓋１０が開いた状態となり、後ガイド軸１２Ａが、上り傾斜部２１Ｃの頂点より後側に位置するようになると、鍵盤蓋１０が独りでに閉じる方向に動くことが抑制されるようになっている。
【００３３】
以上のように、本実施形態によれば、鍵盤蓋１０の開閉のための機構にピニオンギア等が用いられていないため、大幅に部品点数を減らすことが可能であり、メンテナンスにおいて、回転軸２２（図７参照）にグリスを塗布するだけですむためメンテナンス時の作業性も大幅に向上したものになっている。
【００３４】
また、鍵盤蓋１０が開かれる際に、前ガイド軸１１Ｂがガイド溝２１における先端溝部２１Ａの後側及び、後ガイド軸１２Ａがガイド凹部２１ＢＡの後側に夫々移動した後に、弾性部材２４の弾性力及び鍵盤蓋１０の荷重により鍵盤蓋１０が楽器ケース内に自動で収納されるため、鍵盤蓋１０を簡単に開けることが可能になっている。
【００３５】
なお、鍵盤蓋１０が開かれる際の鍵盤蓋１０の移動音等を抑制するために、弾性部材２４の弾性力及び鍵盤蓋１０の荷重により鍵盤蓋１０が自動で動くときに前ガイド軸１１Ｂ及び後ガイド軸１２Ａが移動するガイド溝２１の範囲では、きつい上り傾斜及び下り傾斜を設けないようにした水平方向溝部２１Ｂとすることが好ましい。
【００３６】
さらに、鍵盤蓋１０の荷重等を踏まえ、弾性部材２４の弾性力を鍵盤蓋１０がほぼ一定速度で移動するように調整しておくことが好ましい。
【００３７】
そのために、鍵盤蓋１０が自動で動き始めた後、鍵盤蓋１０の開く側にかかる力（引っ張る力）が０．８ｋｇｆ以下で、鍵盤蓋１０の移動時の平均的な引っ張り力（平均値）に対して鍵盤蓋１０の開く側にかかる力の変動幅が±０．４ｋｇｆ程度に収まるように、弾性部材２４の弾性力を設定することが好ましい。
【００３８】
このようにしておけば、鍵盤蓋１０が開くときの速度が速すぎないため、移動音等を抑制することができるとともに、遅すぎないため鍵盤蓋１０が開くまでに要する時間が長くなりすぎることが回避でき、鍵盤蓋１０の開く速度がほぼ一定であるため、鍵盤蓋１０が開くときの見栄をよくすることができる。
【００３９】
ところで、本実施形態では、先端溝部２１Ａの後側の水平方向溝部２１Ｂに繋がるための曲がり部分において、図７に示すように、鍵盤蓋１０が開かれる際に、前ガイド軸１１Ｂが乗り越える段部２１ＡＡを設けており、この段部２１ＡＡを乗り越えさせるようにユーザが鍵盤蓋１０を開けるように持ち上げれば、その後は、自動で鍵盤蓋１０が開くように動くようになっている。
【００４０】
このように段部２１ＡＡを設ける場合には、鍵盤蓋１０が開かれる際に、前ガイド軸１１Ｂがこの段部２１ＡＡを乗り越えるときに、ユーザに負荷がかからないようにするために、先端溝部２１Ａの下端部に前ガイド軸１１Ｂを上側に付勢する弾性部材を配置するようにすることが好ましい。
【００４１】
このような弾性部材を配置しておけば、鍵盤蓋１０を閉じるときの衝撃も吸収されるため、静かに鍵盤蓋１０を閉じることが可能となる。
【００４２】
以上、具体的な実施形態に基づき本発明について説明してきたが、本発明は上記実施形態に限定されるものではなく、本発明の技術的範囲には、本発明の目的が達成される範囲での様々な変形や改良などが含まれるものであり、そのことは当業者にとって特許請求の範囲の記載から明らかである。
【００４３】
以下に、この出願の願書に最初に添付した特許請求の範囲に記載した発明を付記する。付記に記載した請求項の項番は、この出願の願書に最初に添付した特許請求の範囲の通りである。
＜請求項１＞
鍵盤蓋と、
前記鍵盤蓋の開閉をガイドするガイド溝を有する側壁部と、
前記鍵盤蓋と連結する連結部を有し、前記鍵盤蓋の開閉の際に回転軸を中心に回転するアーム部材と、
前記側壁部側の規制部に規制される第１アーム部が一端に設けられ、前記アーム部材の前記回転を規制する第２アーム部が他端に設けられ、前記回転軸に軸支されている弾性部材と、
を備え、
前記第２アーム部は、前記アーム部材に設けられる係止孔に係止されていることを特徴とする鍵盤楽器。
＜請求項２＞
請求項１に記載の鍵盤楽器において、
前記第２アーム部は、前記弾性部材の外側に屈曲する屈曲部を有し、
前記屈曲部は、前記係止孔に係止されていることを特徴とする鍵盤楽器。
＜請求項３＞
請求項１又は請求項２に記載の鍵盤楽器において、
前記回転軸及び前記側壁部に設けられた複数の係合突起と係合する係合部材を備え、
前記規制部は前記複数の係合突起の間に位置し、前記係合部材が前記第１アーム部の動きを規制することを特徴とする鍵盤楽器。
＜請求項４＞
請求項１から請求項３のいずれか１項に記載の鍵盤楽器において、
前記鍵盤蓋は、前蓋及び後蓋を有し、
前記前蓋の開閉をガイドする前ガイド軸と、
前記後蓋の開閉をガイドする後ガイド軸と、
を備え、
前記鍵盤蓋が開かれる際に、前記前ガイド軸が前記ガイド溝における先端溝部の後側及び、前記後ガイド軸がガイド凹部の後側に夫々移動した後に、前記弾性部材の弾性力及び前記鍵盤蓋の荷重により前記鍵盤蓋が楽器ケース内に自動で収納されることを特徴とする鍵盤楽器。
＜請求項５＞
請求項４に記載の鍵盤楽器において、
前記ガイド溝は、当該ガイド溝の後側に、上り傾斜部を含み、
前記鍵盤蓋が開かれる際に、前記後ガイド軸が前記上り傾斜部を登ることにより、前記鍵盤蓋が楽器ケース内に収納される際の勢いが減衰されることを特徴とする鍵盤楽器。
＜請求項６＞
請求項５に記載の鍵盤楽器において、
前記鍵盤蓋が開かれた際に、前記後ガイド軸は、前記上り傾斜部の頂点より後側に位置することを特徴とする鍵盤楽器。
【符号の説明】
【００４４】
１  鍵盤楽器
２  鍵盤部
１０  鍵盤蓋
１１  前蓋
１１Ａ  指挿入金具
１１Ｂ  前ガイド軸
１２  後蓋
１２Ａ  後ガイド軸
１２Ｂ  ガイド部材
１２Ｃ  回動軸支持部材
１２Ｄ  回動軸
２０  側壁部
２１  ガイド溝
２１Ａ  先端溝部
２１ＡＡ  段部
２１Ｂ  水平方向溝部
２１ＢＡ  ガイド凹部
２１Ｃ  上り傾斜部
２１Ｄ  下り傾斜部
２２  回転軸
２２Ａ  螺合孔
２３  アーム部材
２３Ａ  軸孔
２３Ｂ  係止孔
２３Ｃ  連結部
２４  弾性部材
２４Ａ  コイル部
２４Ｂ  第１アーム部
２４Ｃ  第２アーム部
２４ＣＡ  屈曲部
２５、２６  係合突起
２５Ａ  螺合孔
２７  係合部材
２７Ａ  規制部
Ｎ  ネジ
【図１】
2018205407.tif 000003
【図２】
2018205407.tif 000004
【図３】
2018205407.tif 000005
【図４】
2018205407.tif 000006
【図５】
2018205407.tif 000007
【図６】
2018205407.tif 000008
【図７】
2018205407.tif 000009
【図８】
2018205407.tif 000010